(57)【要約】【課題】液体を収容する容器の肉厚を簡便な手法によって監視することが可能な液体収容設備を提供する。【解決手段】金属製の容器１は液体を収容し、モニタリング管２は、前記液体の深さ方向に向けて挿入されると共に、その内部が前記液体を収容する空間から区画されている。被測定部（例えばモニタリング管２の壁面）は、容器１内の空間に向けて露出すると共に、深さ方向の異なる位置に配置されるようにモニタリング管２に設けられ、容器１と同じ金属の部材からなる。このモニタリング管２は、その内部挿入された肉厚測定装置によって前記被測定部の肉厚が測定され、この測定結果に基づいて、測定が行われた前記深さ方向の位置に対応する位置における容器１の肉厚を監視するために設けられている。【選択図】図２
2015017946.tif 000002
【特許請求の範囲】
【請求項１】
液体を収容する金属製の容器と、
前記容器に収容される液体の深さ方向に向けて挿入され、内部が前記液体を収容する空間から区画されたモニタリング管と、
前記容器内の空間に向けて露出すると共に、前記深さ方向の異なる位置に配置されるように前記モニタリング管に設けられ、前記容器と同じ金属の部材からなる被測定部と、を備え、
前記モニタリング管は、当該モニタリング管に挿入された肉厚測定装置によって前記被測定部の肉厚が測定され、この測定結果に基づいて、測定が行われた前記深さ方向の位置に対応する位置における前記容器の肉厚を監視するためのものであることを特徴とする液体収容設備。
【請求項２】
前記容器は、隔壁で囲まれ、外部と区画された空間内に設置され、
前記モニタリング管の基端部は、前記隔壁を貫通し、外部から当該モニタリング管内への肉厚測定装置の挿入をガイドするためのガイド管に接続されていることを特徴とする請求項１に記載の液体収容設備。
【請求項３】
前記空間内には、複数の容器が設置され、これらの容器のうちの一部の容器の肉厚を測定するために、当該隔壁の外部から当該肉厚の測定が行われる容器の外壁面へ肉厚測定装置の移動をガイドするためのガイド機構を備え、
前記一部の容器の肉厚の測定結果に基づいて、他の容器における肉厚の推定結果が補正されることを特徴とする請求項２に記載の液体収容設備。
【請求項４】
前記ガイド機構を用いた一部の容器の肉厚の測定は、当該容器に収容される液体の深さ方向に対応した、異なる高さ位置で測定されることを特徴とする請求項３に記載の液体収容設備。
【請求項５】
前記モニタリング管は、前記容器と同じ部材で構成され、当該モニタリング管の管壁が前記被測定部であることを特徴とする請求項１ないし４のいずれか一つに記載の液体収容設備。
【請求項６】
前記容器は、溶接により接合された溶接部を有し、
前記被測定部は、前記溶接部を模擬した模擬溶接部を備えることを特徴とする請求項１ないし５のいずれか一つに記載の液体収容設備。
【請求項７】
前記模擬溶接部は前記深さ方向に向けて伸びていることを特徴とする請求項６に記載の液体収容設備。
【請求項８】
前記容器は放射性物質を含む液体を収容することを特徴とする請求項１ないし７のいずれか一つに記載の液体収容設備。
【請求項９】
前記液体は、固形分を含むことを特徴とする請求項１ないし８のいずれか一つに記載の液体収容設備。
【請求項１０】
前記容器には、内部に収容された液体を撹拌する撹拌機構が設けられていることを特徴とする請求項１ないし９のいずれか一つに記載の液体収容設備。
【発明の詳細な説明】
【技術分野】
【０００１】
本発明は、液体を収容する容器の肉厚を監視する技術に関する。
【背景技術】
【０００２】
放射性物質を含む廃液（放射性廃液）を貯蔵（収容）する容器である貯蔵タンクは、放射線遮蔽用の隔壁で囲まれた空間内に配置され、人が近づくことができないようになっている。一方、貯蔵タンク内に収容される廃液には、放射性物質を含む樹脂やスラッジなど、固形分を含むものがあり、貯蔵タンク内ではこれら固形分の固化を防ぐため、気体のバブリングなどによる液体の撹拌を行うことがある。液体だけを静止状態で貯蔵する貯蔵タンクと比較して、固形分を含む液体が流動している貯蔵タンクにおいては、液体による腐食の他、固形分との接触による摩耗などを考慮しなければならないため、減肉が著しい部位の位置や減肉量の分布を把握することが難しい。
【０００３】
貯蔵タンクや配管などを構成する金属部材の肉厚の測定は、例えば特許文献１、２などに記載されているように、超音波を発信、受信する素子やプローブ（探触子）をこれらの部材表面に押し当てて、超音波の反射時間を測定することにより行われる。  
ところが、既述のように人が近づいて直接、肉厚の測定をすることのできない放射性廃液の貯蔵タンクについては、遠隔位置から肉厚を監視する技術を確立する必要がある。
【０００４】
また、液体原料と粉体状の触媒とが混合されたスラリーを収容し、スラリー中の液体原料の反応を進行させる容器である反応槽などにおいては、反応槽の外壁面が加熱用のスチームジャケットや保温用の断熱材などで覆われているものがある。このような反応槽の肉厚を測定する場合にも従来の手法ではスチームジャケットや断熱材を取り外したり、反応槽の内部に入ったりして肉厚の測定を行う必要があり、簡便に肉厚の監視を行うことが困難であるという問題もある。
【先行技術文献】
【特許文献】
【０００５】
【特許文献１】特開昭６３−３０２３５８号公報：２ページ右下欄１２行目〜３ページ左上欄１６行目、図１、２
【特許文献２】特開平２−１９０７０９号公報：３ページ右下欄４行目〜４ページ左上欄１行目
【発明の概要】
【発明が解決しようとする課題】
【０００６】
本発明はこのような事情の下になされたものであり、その目的は、液体を収容する容器の肉厚を簡便な手法によって監視することが可能な液体収容設備を提供することにある。
【課題を解決するための手段】
【０００７】
本発明の液体収容設備は、液体を収容する金属製の容器と、
前記容器に収容される液体の深さ方向に向けて挿入され、内部が前記液体を収容する空間から区画されたモニタリング管と、
前記容器内の空間に向けて露出すると共に、前記深さ方向の異なる位置に配置されるように前記モニタリング管に設けられ、前記容器と同じ金属の部材からなる被測定部と、を備え、
前記モニタリング管は、当該モニタリング管に挿入された肉厚測定装置によって前記被測定部の肉厚が測定され、この測定結果に基づいて、測定が行われた前記深さ方向の位置に対応する位置における前記容器の肉厚を監視するためのものであることを特徴とする。
【０００８】
前記液体収容設備は以下の特徴を備えていてもよい。
（ａ）前記容器は、隔壁で囲まれ、外部と区画された空間内に設置され、
前記モニタリング管の基端部は、前記隔壁を貫通し、外部から当該モニタリング管内への肉厚測定装置の挿入をガイドするためのガイド管に接続されていること。また、前記空間内には、複数の容器が設置され、これらの容器のうちの一部の容器の肉厚を測定するために、当該隔壁の外部から当該肉厚の測定が行われる容器の外壁面へ肉厚測定装置の移動をガイドするためのガイド機構を備え、前記一部の容器の肉厚の測定結果に基づいて、他の容器における肉厚の推定結果が補正されること。そして、前記ガイド機構を用いた一部の容器の肉厚の測定は、当該容器に収容される液体の深さ方向に対応した、異なる高さ位置で測定されること。  
（ｂ）前記モニタリング管は、前記容器と同じ部材で構成され、当該モニタリング管の管壁が前記被測定部であること。さらに、前記容器は、溶接により接合された溶接部を有し、前記被測定部は、前記溶接部を模擬した模擬溶接部を備えること。このとき、前記模擬溶接部は前記深さ方向に向けて伸びていること。  
（ｃ）前記容器は放射性物質を含む液体を収容すること。また、前記液体は、固形分を含むこと。  
（ｄ）前記容器には、内部に収容された液体を撹拌する撹拌機構が設けられていること。
【発明の効果】
【０００９】
本発明によれば、容器に収容された液体の深さ方向に向けてモニタリング管を挿入し、このモニタリング管に設けられた被測定部の肉厚を測定することにより被測定部と同じ環境に置かれている容器の肉厚を監視する。この結果、容器の肉厚を直接、測定することが困難な場合であっても当該容器の肉厚を簡便に監視することができる。
【図面の簡単な説明】
【００１０】
【図１】放射性廃液の貯蔵タンクを収容した建屋の横断平面図である。
【図２】前記貯蔵タンクの一部破断側面図である。
【図３】前記貯蔵タンクの一部破断斜視図である。
【図４】前記貯蔵タンクに設けられているモニタリング管の横断平面図及び縦断側面図である。
【図５】貯蔵タンクの外壁面へ肉厚測定装置の移動をガイドするためのガイド管の配置例を示す説明図である。
【図６】前記ガイド管を介して貯蔵タンクの肉厚を測定する様子を示す説明図である。
【図７】肉厚測定装置の移動をガイドするガイド機構の他の構成例を示す説明図である。
【図８】モニタリング管が設けられた反応槽の例を示す縦断側面図である。
【発明を実施するための形態】
【００１１】
以下、図１〜図４を参照しながら本発明の実施の形態に係る放射性廃液の貯蔵タンク１及びその肉厚の監視設備の構成について説明する。  
図１〜図３に示すように、本例の貯蔵タンク１は例えば炭素鋼製の鋼板部材からなり、その直径が１メートル弱〜数メートル、軸方向の長さが数メートル〜十数メートルの円筒形状の容器として構成されている。
【００１２】
貯蔵タンク１は、円筒の中心軸を水平方向に向けた横倒しの状態で、外部と区画された空間である貯蔵施設の建屋内に設置されている。貯蔵タンク１は、その先端部及び後端部の下面を台座部１２にて支持され、前記建屋の床面から数十ｃｍ程度高い位置に配置されている。なお、以下の説明では、後述のモニタリング管２が挿入されるポート部１１が設けられている方向を先端側、その反対側を後端側とする。
【００１３】
貯蔵タンク１の上面には、前記台座部１２に対向する先端部側、後端部側の位置に、貯蔵タンク１の外壁面から短管状に分岐したポート部１１が設けられている。各ポート部１１は、その先端側に開口部が形成されており、これらの開口部は蓋部１１０によって覆われている。  
さらに貯蔵タンク１には、放射性廃液の受け入れ、払い出しを行うための配管と接続されるポート部が設けられているが、説明の便宜上、図１〜図３においては図示を省略してある。
【００１４】
本例の貯蔵タンク１は、肉厚が十数ミリメートル〜数十ミリメートル程度の鋼板部材からなる円筒状のパーツを溶接により繋ぎ合わせて製造され、その内外壁面には、製造時に形成された溶接部である溶接線１３が露出している。これらの溶接線１３は、貯蔵タンク１の円筒状の壁面の周方向に沿って、横倒しに配置された貯蔵タンク１の上下方向に伸びるように、前後２箇所に形成されている。
【００１５】
本例の放射性廃液の貯蔵施設においては、図１に示すように上述の貯蔵タンク１が、軸方向を揃えて複数基、並べて配置されている。これら貯蔵タンク１を収容する建屋（側壁部及び屋根部を備える）は、例えば厚さが数十センチメートル〜１メートル程度の鉄筋コンクリート製の隔壁４によって構成されている。
【００１６】
この建屋には、各貯蔵タンク１に放射性廃液の撹拌用の気体（例えば空気）を供給するための給気ライン３１２が配設されており、この給気ライン３１２は各貯蔵タンク１の後端側のポート部１１の上方位置にて分岐し、バブリング管３１に接続されている。  
図２に示すようにバブリング管３１は、蓋部１１０を介して貯蔵タンク１内に挿入され、下方側へ向けて伸び出した後、貯蔵タンク１の底面近傍位置にて先端側へ向けて屈曲し、当該底面に沿って伸びている。この底面に沿って伸びるバブリング管３１の上面には、多数の給気孔３１１が設けられており、これらの給気孔３１１から貯蔵タンク１内の放射性廃液へ向けて気体をバブリングし、これにより当該放射性廃液の撹拌を行う。この観点において、バブリング管３１は、本実施の形態の撹拌機構に相当している。
【００１７】
また、バブリング管３１が挿入されている後端側のポート部１１には、貯蔵タンク１内の気体を抜き出すための排気管３２が挿入されている。排気管３２の先端部は、貯蔵タンク１に収容されている放射性廃液の上方の気相雰囲気に向けて開口している。一方、排気管３２の基端部は、各貯蔵タンク１に共通の排気ライン３２１に接続されており、この排気ライン３２１は建屋の外部に設けられた排気処理設備へ向けて、貯蔵タンク１から排出された気体を送気する。
【００１８】
以上に説明した構成を備えた貯蔵タンク１において、その内部に収容される放射性廃液には放射性物質を含む樹脂や、スラッジなどの固形分６１が含まれている（図３）。この固形分を含む放射性廃液に対して、貯蔵タンク１の底部から定期的にバブリングを行うと、放射性廃液と共に固形分６１が流動し、静止状態の場合と比較して固形分６１の界面の位置が上方側へ移動する。このため、貯蔵タンク１の内壁面は、放射性廃液の他、固形分６１が流動する液体中に晒された状態となる。
【００１９】
従って、貯蔵タンク１の肉厚（貯蔵タンク１の減肉量）は、廃液との接触による腐食に加え、流動する固形分との接触による摩擦の影響も考慮し、放射性廃液の液溜まりの深さ方向に向けて広い範囲で把握する必要がある。一方で、隔壁４によって囲まれた空間内に収容されている貯蔵タンク１には、人が近づいて貯蔵タンク１の外壁面に肉厚測定装置のプローブを押し当て、直接、肉厚を測定することができない。  
そこで本例の貯蔵タンク１には、貯蔵タンク１の肉厚を監視するためのモニタリングピースとてしての役割を果たすモニタリング管２が設けられている。以下、当該モニタリング管２の構成について説明する。
【００２０】
図２、図３に示すように、本例のモニタリング管２は、先端側のポート部１１を介して貯蔵タンク１内に挿入され、貯蔵タンク１内に収容される放射性廃液の深さ方向へ向けて、下方側へ伸び出すように配置されている。図４（ａ）、（ｂ）に示すようにモニタリング管２は、内部に空洞（以下、内部空間２０１という）を備えた円管として構成され、その下端部は封止部２０３にて封止されている。下端部が封止されていることにより、モニタリング管２の内部空間２０１は、放射性廃液を収容する貯蔵タンク１内の空間とは区画された状態となっている。この内部空間２０１には、モニタリング管２の肉厚を測定するための肉厚測定装置を構成するプローブ５１等が挿入される。
【００２１】
モニタリング管２は、貯蔵タンク１と同じ炭素鋼製の鋼板部材によって構成されている。また、その肉厚については貯蔵タンク１の肉厚と等しいものが用いられてもよい。さらに図４（ａ）に示すように、モニタリング管２の側壁面には、貯蔵タンク１の溶接線１３を模擬した模擬溶接線２０２（模擬溶接部）が形成されている。例えば模擬溶接線２０２は、貯蔵タンク１の溶接線１３と同じ手法により溶接され、溶接線１３が伸びる方向に合わせて放射性廃液の深さ方向（上下方向）に向けて伸びるように形成され、その表面は貯蔵タンク１内の放射性廃液に向けて露出している。
【００２２】
封止部２０３で封止されたモニタリング管２の下端は、バブリング管３１が設けられた貯蔵タンク１の底面のやや上方位置まで伸び出している一方、モニタリング管２の上端はポート部１１の蓋部１１０を貫通して、ガイド管２１に接続されている。  
ガイド管２１は、内部が空洞の管路として構成され、モニタリング管２内へのプローブ５１の挿入をガイドする役割を果たす。このため、貯蔵タンク１の肉厚を監視するために設けられているモニタリング管２とは異なり、ガイド管２１はその部材の材料や肉厚が貯蔵タンク１と同じであってもよいし、異なっていてもよい。
【００２３】
ガイド管２１は、ポート部１１から上方側へ向けて伸び出した後、近傍の隔壁４へ向けて水平方向に屈曲し、隔壁４を貫通するように設けられたインサート管４２内を通って貯蔵タンク１を収容する建屋の外部に延伸されている。ガイド管２１の基端部は、隔壁４の外壁面近傍で下方側へ向けて屈曲し、例えば隔壁４に設けられたキャットウォーク４１より人がアクセス可能な位置にて開口している。ガイド管２１の開口部と、モニタリング管２との接続部とを最短距離で結ばず、ガイド管２１を大きく引き回すことにより、ガイド管２１の開口部と、貯蔵タンク１内の放射性廃液との間の距離を長くとっている。  
本例においては、図１に示した隔壁４内の空間に配置された全ての貯蔵タンク１に対して、モニタリング管２及びガイド管２１が設けられている。
【００２４】
以下、モニタリング管２を用いて貯蔵タンク１の肉厚を監視する手法について説明する。本手法においては、モニタリング管２内にプローブ５１を挿入し、モニタリング管２の肉厚を測定することによって貯蔵タンク１の肉厚を推定することにより監視を行う。  
モニタリング管２の肉厚の測定に用いる肉厚測定装置は、モニタリング管２の内部に挿入してその肉厚を測定することが可能であれば、測定原理やプローブ５１の構成は、特定の種類のものに限定されない。本実施の形態においては、例えば実開平４−１２７５６７や特開２００１−８３１２４に記載の音響ミラー５２を利用した超音波式のプローブ５１を用いる場合について説明する。
【００２５】
図４（ｂ）に模式的に示したプローブ５１は、超音波パルスを発信する機能、及びモニタリング管２で反射された超音波パルスを受信する機能を備え、不図示のケーブルを介して隔壁４の外部に配置されたコンピュータなどからなる超音波信号の解析ユニットに接続されている。音響ミラー５２はモニタリング管２の延伸方向に向けて伸びる中心軸周りに３６０度回転自在に構成されており、超音波の伝播方向を変化させて、プローブ５１と、前記中心軸周りの任意の方向に位置するモニタリング管２の管壁との間で超音波を伝達させることができる。そして、プローブ５１、音響ミラー５２を上下方向に走査させながら音響ミラー５２を回転させることにより、所望の範囲のモニタリング管２の肉厚を測定することができる。
【００２６】
モニタリング管２の肉厚の測定は、内部空間２０１内に水を満たした状態で行われる。モニタリング管２の肉厚は、プローブ５１から出力された超音波が、モニタリング管２の内壁面で反射されてプローブ５１にて受信されるまでの時間ＴＩと、プローブ５１から出力された超音波が、モニタリング管２の外壁面で反射されてプローブ５１にて受信されるまでの時間ＴＯとの差分値に基づいて特定される。
【００２７】
また、音響ミラー５２を回転させたり、上下方向に移動させたりしたときの前記ＴＩ、ＴＯの変化に基づいて、モニタリング管２の内壁側、外壁側のいずれの壁面にて減肉が発生しているのかを識別することもできる。図４（ｂ）に示すようにモニタリング管２の外壁に減肉領域２０ａが形成されている場合には、外壁面で反射された超音波が検出されるまでの時間ＴＯが他の領域に比べて短くなる。一方、モニタリング管２の内壁に減肉領域２０ｂが形成されている場合には、内壁面で反射された超音波が検出されるまでの時間ＴＩが他の領域に比べて長くなる。
【００２８】
モニタリング管２の構成に係る説明にて述べたように、モニタリング管２は貯蔵タンク１を構成する部材と同じ金属により構成されている。また、設置時点（監視開始時）における肉厚は貯蔵タンク１の肉厚と等しくしてもよい。そして、モニタリング管２の外壁面は、貯蔵タンク１の内壁面と共通の固形分６１を含む放射性廃液中に露出していることから、貯蔵タンク１と同様の条件下で放射性廃液による腐食や固形分との接触が発生する環境に置かれている。このため、これらの要因で貯蔵タンク１の内壁面に生じる減肉の状態は、モニタリング管２の外壁面においても再現される蓋然性が高い。
【００２９】
そこで本例においては、直接、肉厚を測定することができない貯蔵タンク１に替えて、モニタリング管２の肉厚を測定することにより貯蔵タンク１の肉厚の推定を行う。設置時点におけるモニタリング管２の肉厚が貯蔵タンク１の肉厚と等しくなっているとき、隔壁４によって囲まれた建屋内が腐食環境になく、貯蔵タンク１の外壁面の減肉が殆ど考えられない場合には、内壁面の減肉が発生していない位置におけるモニタリング管２の肉厚の測定結果が、その時点における貯蔵タンク１の肉厚を表しているといえる。また、モニタリング管２の肉厚が貯蔵タンク１の肉厚と異なる場合には、モニタリング管２の減肉量を求め、設置時点における貯蔵タンク１の肉厚から当該減肉量を差し引いた値が、モニタリング管２の肉厚測定時点の貯蔵タンク１の肉厚を表していると推定する。
【００３０】
ここでモニタリング管２は、貯蔵タンク１に収容されている放射性廃液の深さ方向に向けて挿入され、プローブ５１はこの深さ方向の異なる位置で、中心軸周りにモニタリング管２の全周の肉厚を測定することができる。このため、モニタリング管２の管壁は、プローブ５１によって肉厚を測定される被測定部となっており、当該管壁が貯蔵タンク１の肉厚監視用のモニタリングピースとしての役割を果たしていると言える。
【００３１】
そして、放射性廃液による腐食や流動する固形分６１との接触による影響が絡み合い、放射性廃液の深さ位置に応じて減肉量の分布が異なる場合であっても、モニタリング管２が当該深さ方向に向けて伸び出すように配置されていることにより、モニタリング管２の外壁面にも貯蔵タンク１の減肉領域２０と同じ分布の減肉領域２０ａが形成される。この結果、ある位置にて測定されたモニタリング管２の肉厚は、当該測定が行われた前記深さ方向の位置に対応する位置（言い替えると、測定が行われた位置から水平に引いた線が貯蔵タンク１と交差する位置（図４（ｂ）参照））における貯蔵タンク１の肉厚を表している。  
なお、図４（ｂ）に示した貯蔵タンク１やモニタリング管２の減肉領域２０、２０ａ、２０ｂは、貯蔵タンク１の肉厚を監視する手法の説明にあたって便宜的に図示したものであり、貯蔵タンク１やモニタリング管２における実際の減肉の発生状態を示すものではない。
【００３２】
また、モニタリング管２には貯蔵タンク１の溶接線１３を模擬する模擬溶接線２０２が形成されており、この模擬溶接線２０２は溶接線１３と同様に放射性廃液の深さ方向（上下方向）に向けて伸びるように形成されている。このため、模擬溶接線２０２が形成されている位置のモニタリング管２の肉厚を測定することにより、溶接線１３の形成位置における貯蔵タンク１の肉厚を監視することもできる。
【００３３】
さらにモニタリング管２を用いて貯蔵タンク１の肉厚を監視することが可能な領域は、放射性廃液６に浸漬されている領域に限られない。放射性廃液６の上方側の気相雰囲気に向けて露出している貯蔵タンク１の肉厚を監視することもできる。バブリング用の気体が液面で破裂して多数のミストが形成される当該気相雰囲気では、貯蔵タンク１の内壁面は放射性廃液６を収容した領域とは異なる状態に晒される。この領域においても貯蔵タンク１と同じ雰囲気に晒されているモニタリング管２の肉厚を測定することによって、対応する高さ位置の肉厚を監視することができる。
【００３４】
モニタリング管２の肉厚の測定を終えたら、ポンプなどを用いて肉厚測定用に内部空間２０１内に満たした水を抜き出し、乾燥空気や窒素などを送り込んで内部空間２０１の内壁面を乾燥させ、貯蔵タンク１の外壁面が晒される建屋内と同じ状態とするか、乾燥後にガイド管２１の端部に蓋をして密閉する。また、貯蔵タンク１の外壁面における腐食の影響も考慮したい場合には、例えば貯蔵タンク１の内部の気体の組成や温度、湿度などの状態が、貯蔵タンク１の配置されている空間内と同じになるように調整してもよい。  
また、貯蔵タンク１の肉厚を推定した結果、その肉厚が予め設定しておいた下限値を下回った場合には、例えば未使用の状態で置いておいた他の貯蔵タンクへと放射線廃液６を移送し、肉厚が下限値を下回った貯蔵タンク１の使用を停止するなどの対応をする。
【００３５】
本実施の形態に係る貯蔵タンク１によれば以下の効果がある。貯蔵タンク１に収容された放射性廃液６の深さ方向に向けてモニタリング管２を挿入し、このモニタリング管２の肉厚を測定することにより、被測定部を成すモニタリング管２と同じ環境に置かれている貯蔵タンク１の肉厚を監視する。この結果、貯蔵タンク１の肉厚を直接、測定することが困難な場合であっても当該貯蔵タンク１の肉厚を簡便に監視することができる。
【００３６】
次に、図１に示すように隔壁４にて囲まれた建屋内に複数基、配置された貯蔵タンク１のうち、一部の貯蔵タンク１の肉厚を直接、測定することにより、モニタリング管２を用いた貯蔵タンク１の肉厚の推定精度を向上させる手法について説明する。  
本例においては、前記建屋の空間内に設置された複数基の貯蔵タンク１のうち、円筒の外壁面を隔壁４に対向させた両端位置の貯蔵タンク１ａの少なくとも一方に、当該貯蔵タンク１ａの肉厚を直接、測定する際に用いられるガイド管２２が設置されている。
【００３７】
ガイド管２２は、貯蔵タンク１の肉厚の測定を行が行われる位置へ、肉厚測定装置のプローブ５１ａの移動をガイドするガイド機構としての役割を果たす。ガイド管２２は、図６に示すようにケーブル５４の先端部に取り付けられた状態で挿入されるプローブ５１ａを支える強度を備えていれば、金属製であってもよいし樹脂製であってもよい。
【００３８】
ガイド管２２の先端部は、肉厚の測定が行われる貯蔵タンク１ａの外壁面から数ミリメートル〜数センチメートル程度離れた位置に開口し、プローブ５１ａの先端部を当該外壁面へ向けて突出させることができる。図５に示すように、横倒しにされた円筒状の貯蔵タンク１を縦断する方向から見たとき、ガイド管２２は、当該縦断面に形成される円を左右に２分割した半円を、さらに等角度間隔で周方向に１０分割して形成される円弧の端部に相当する、異なる高さ位置にて開口するように配置され、合計で１１本設けられている。
【００３９】
このように、異なる高さ位置に向けてプローブ５１ａをガイドすることにより、貯蔵タンク１内に収容されている放射性廃液６の深さ方向の異なる位置にて貯蔵タンク１の肉厚を直接、測定することができる。
なおガイド管２２同士が互いに干渉しないようにするため、貯蔵タンク１を側面から見たとき、１１本のガイド管２２は、横倒しにされた貯蔵タンク１の円筒軸の方向に沿った異なる位置に開口するように配置してもよい（図示省略）。
【００４０】
図５に示すように、各ガイド管２２は、貯蔵タンク１ａの外壁面に対向する隔壁４の上部側に設けられたインサート管４２へ向けて伸び出し、このインサート管４２内を通って建屋の外部に延伸されている。ガイド管２１の基端部は、隔壁４の外壁面近傍で下方側へ向けて屈曲し、建屋外にて人がアクセス可能な位置にて開口している。
【００４１】
これらガイド管２２が配置された貯蔵タンク１ａ内にもモニタリング管２が挿入されており、図４（ｂ）等を用いて説明した既述の手法により、前記深さ方向の異なる位置におけるモニタリング管２の肉厚が測定される。
【００４２】
一方、各ガイド管２２には、順次、プローブ５１ａが挿入され、その先端部の開口が対向している位置（測定点）における貯蔵タンク１の肉厚を直接、測定する（図６）。プローブ５１ａは、特別な種類のものに限定されないが、例えば、超音波パルスの発信及びその反射を受信する機能を備えると共に、先端部に設けられた磁石を用いて貯蔵タンク１の外壁面にプローブ５１ａを密着させた状態で肉厚を測定することが可能な構成のものを例示することができる。図６中、符号５３は、ガイド管２２内でプローブ５１ａを支持すると共に位置決めを行う支持部、符号５４は、隔壁４の外部に配置されたコンピュータなどからなる超音波信号の解析ユニットとプローブ５１ａとを接続するケーブルを示している。
【００４３】
このように、モニタリング管２を用いた貯蔵タンク１ａの肉厚の推定に加えて、貯蔵タンク１ａの肉厚を直接、測定することにより、モニタリング管２を利用した肉厚の推定結果に含まれる誤差を補正することができる。
【００４４】
即ち、ガイド管２２を利用して測定した貯蔵タンク１ａの肉厚は、真の値であるので、この測定結果とモニタリング管２の肉厚の測定結果との間に相違がある場合には、モニタリング管２の肉厚の測定結果を補正して貯蔵タンク１の肉厚の推定を行う必要がある。そして、ガイド管２２が設けられた貯蔵タンク１ａと、設けられていない他の貯蔵タンク１ａ、１ｂとの間で、貯蔵タンク１ａ、１ｂ内の状態（例えばバブリング用に供給される気体の流量やバブリングンの頻度、固形分６１の構成や含有割合など）が大きく異ならない場合には、これら他の貯蔵タンク１ａ、１ｂにおいても貯蔵タンク１とモニタリング管２との肉厚に同様の相違が生じている可能性が高い。
【００４５】
ここで貯蔵タンク１ａの肉厚の実測値をＴｈ１、この測定を行った位置に対応する高さ位置（放射性廃液６の深さ方向の位置に対応している）におけるモニタリング管２の肉厚をＴｈ２とする。このとき貯蔵タンク１ａの肉厚の測定結果に基づく他の貯蔵タンク１ａ、１ｂの肉厚の推定値の補正方法は、例えばこれらの肉厚の差（Ｔｈ２−Ｔｈ１）を、他の貯蔵タンク１ａ、１ｂに設けられたモニタリング管２の肉厚（Ｔｈ２’）の測定結果から差し引いて（Ｔｈ２’−（Ｔｈ２−Ｔｈ１））、他の貯蔵タンク１ａ、１ｂの肉厚の推定値としてもよい。  
また、貯蔵タンク１ａの肉厚の実測値とモニタリング管２の肉厚との比率（Ｔｈ１／Ｔｈ２）を他の貯蔵タンク１ａ、１ｂに設けられたモニタリング管２の肉厚（Ｔｈ２’）の測定結果に乗じて（Ｔｈ２’・（Ｔｈ１／Ｔｈ２））、他の貯蔵タンク１ａ、１ｂの肉厚の推定値としてもよい。
【００４６】
さらに、図５に示した例のように、上下方向の異なる位置にて離散的に貯蔵タンク１ａの肉厚を測定する場合には、測定が行われないこれら測定点の間の貯蔵タンク１ａの肉厚を推定し、この推定値を用いて他の貯蔵タンク１ａ、１ｂの肉厚の推定結果を補正してもよい。測定点間の貯蔵タンク１ａの肉厚の推定方法としては、例えば上下方向に隣り合う測定点間の中間の高さ位置にて区画されるように貯蔵タンク１ａの外壁面を上下方向に領域分けし、各領域に含まれる測定点にて測定された貯蔵タンク１ａの肉厚を当該領域内の貯蔵タンク１ａの肉厚と推定してもよい。
【００４７】
また例えば、上下方向に隣り合う測定点（例えば図５のＡ点、Ｂ点）の測定結果（ＴｈＡ、ＴｈＢ）に基づいて、これら測定点の間の高さ位置（ＨＡ、ＨＢ）の間の任意の高さ位置（Ｈ）の肉厚を案分計算（ＴｈＡ＋（ＴｈＢ―ＴｈＡ）・{（Ｈ−ＨＡ）／（（ＨＢ−ＨＡ）}）により求めてもよい。
【００４８】
ここで、貯蔵タンク１の肉厚の測定を行うために隔壁４から貯蔵タンク１ａの外壁面へプローブ５１ａの移動をガイドするガイド機構の構成は、プローブ５１ａを含む肉厚測定装置の構成に応じて種々の形態のものを採用することができる。  
例えば、図７（ａ）には、磁石を用いて鋼板部材からなる貯蔵タンク１ａの外壁面に吸着しながら、当該外壁面に沿って移動可能な台車５５ａにプローブ５１ａを搭載する例を示す。この場合には、貯蔵タンク１ａを収容する空間に台車５５ａを搬入するための開口部４３を隔壁４に設け、この開口部４３から、貯蔵タンク１ａの上面へ向けて、例えば鋼板製のガイド板２３をガイド機構として架け渡す。そして、このガイド板２３を走行路として台車５５ａを貯蔵タンク１ａ上まで移動させた後、当該台車５５ａを貯蔵タンク１ａの外壁面に吸着させつつ移動させながら、当該外壁面を走査するようにその肉厚を測定する。この場合には、貯蔵タンク１ａの測定を終え、台車５５ａを回収したら、ガイド板２３は撤去してもよい。
【００４９】
また図７（ｂ）には、隔壁４に設けられた開口部４３と貯蔵タンク１ａの頂部とを経て、貯蔵タンク１ａの半周面に沿って伸びるガイドレール２４を配置した例を示す。このガイドレール２４は、プローブ５１ａを支持する台車５５ｂを走行させるガイド機構として構成されている。本例のガイドレール２４は、円管の側壁面にスリット２４１を設けた構成となっており、このスリット２４１を貯蔵タンク１ａの外壁面側へ向けるようにして配置されている。台車５５ｂは、このガイドレール２４の内周面に沿って車輪を走行させる一方、モノレールのようにスリット２４１の外方位置にて、貯蔵タンク１ａに向けてプローブ５１ａをスリットの外方へ突出させながら支持する。そして、貯蔵タンク１ａを収容する空間に開口部４３を介してプローブ５１ａを搬入し、ガイドレール２４を走行路として台車５５ａを貯蔵タンク１ａの近傍まで移動させた後、台車５５ｂに設けられている磁石を利用してプローブ５１ａを貯蔵タンク１ａの外壁面に押し当て、当該外壁面を走査するようにその肉厚を測定する。
【００５０】
ここで図５、図７（ａ）、（ｂ）の各例においては、円筒状の外壁面を隔壁４に対向させて配置された貯蔵タンク１ａにガイド機構（ガイド管２２、ガイド板２３、ガイドレール２４）を設けた例について説明したが、ガイド機構を設けて肉厚を測定する貯蔵タンク１はこの位置のものに限定されない。隔壁４との距離や位置関係など、ガイド機構の設置のしやすさなどを考慮して、図１の両端位置の貯蔵タンク１ａよりも内側に位置する貯蔵タンク１ｂにガイド機構を設けてその肉厚を測定してもよいことは勿論である。
【００５１】
次に、他の適用例として、モニタリング管２を用いて反応槽７の肉厚を監視する場合について図８を参照しながら説明する。図８に示した反応槽７は、液体原料と粉体状の触媒とを混合したスラリー７０１内で液体原料の反応を進行させるための金属製の容器として構成されており、反応槽７は内部のスラリー７０１の撹拌混合を行う撹拌翼７２と、スラリー７０１の加熱を行うジャケット７１とを備えている。
【００５２】
撹拌翼７２は反応槽７の上部に配置されたモーター７２２によって、鉛直軸周りに回転する回転軸７２１の先端部に設けられており、スラリー７０１中に浸漬された状態で回転し、その撹拌混合を実行する撹拌機構として構成されている。また、ジャケット７１は、スラリー７０１が収容される空間を構成する反応槽７の外壁面を覆うように設けられており、その内部にスチームなどの熱媒を通流させてスラリー７０１の加熱を行う。
【００５３】
反応槽７には、液体原料と触媒とが混合されたスラリーの状態で連続的に供給され、スラリー７０１は反応槽７内で撹拌、加熱されながら液体原料の反応が進行する。そして、反応槽７から連続的に抜き出されたスラリーを、液体サイクロンやフィルターで固液分離して、反応生成物を含む液体を得る。
【００５４】
この種の反応槽７においても、液体との接触による腐食や、流動する触媒との接触による摩擦の影響を受けて、スラリー７０１の深さ方向で減肉量の分布が異なる場合がある。ところが、反応槽７の外壁面を覆うようにジャケット７１が設けられていたり、また反応槽７が保温材で覆われていたりすると、これらのジャケット７１や保温材を取り外すか、反応槽７の内部に入るなどしなければ、直接、肉厚の測定を行うことができない。
【００５５】
そこで本例の反応槽７には、その上面側からスラリー７０１の深さ方向に向けて、反応槽７と同じ金属の部材からなるモニタリング管２が挿入されている。ここでもモニタリング管２は、反応槽７を構成する部材と等しい厚さとしてもよい。当該モニタリング管２は、回転する撹拌翼７２と干渉しない、反応槽７の内壁面近傍位置に配されており、モニタリング管２の外壁面は、反応槽７の内壁面と同じ環境に晒される。この結果、当該内壁面と同様の減肉状態がモニタリング管２の外壁面にも再現される蓋然性が高い。
【００５６】
そこで図４（ｂ）を用いて説明した手法と同様の手法でモニタリング管２の肉厚を測定し、この測定結果に基づいて当該測定が行われた前記深さ方向の位置に対応する位置の反応槽７の肉厚を推定する。これにより、ジャケット７１などを分解したり、反応槽７の中に入ったりせずに、簡便に反応槽７の肉厚を監視することができる。また、本例の場合において人が反応槽７に近づくことができる場合には、図３に示したガイド管２１を設けずに、モニタリング管２の開口から直接、プローブ５１を挿入して肉厚の測定を行ってもよい。
【００５７】
以上に説明した各例において、設置時におけるモニタリング管２の肉厚が、モニタリング管２の肉厚と等しくなっていることは、必須の要件ではない。モニタリング管２の肉厚が貯蔵タンク１や反応槽７等の容器の肉厚とは異なっていても、モニタリング管２の設置時の肉厚（Ｔｈ２０）に対する測定された肉厚（Ｔｈ２）の比を、監視開始時の容器の肉厚（Ｔｈ１）に乗じて（Ｔｈ１・（Ｔｈ２／Ｔｈ２０））、現在の容器の肉厚を推定してもよい。
【００５８】
またモニタリング管２は、放射性廃液６やスラリー７０１の深さ方向に垂直に伸び出すように構成されていることは必須の要件ではなく、モニタリング管２や放射性廃液６の深さ方向へ向けて斜めに伸び出していてもよく、またモニタリング管２は湾曲や屈曲していてもよい。
【００５９】
さらにモニタリング管２は、容器と同じ金属の部材で構成され、その全体が被測定部となっていなくてもよい。例えば樹脂製のモニタリング管２の壁面の一部に、内壁面から外壁面までを貫通するように容器と同じ金属製のピースを埋め込んで、この金属ピースを被測定部としてもよい。この場合、金属ピースは、小片状のものを容器内の液体の深さ方向に間隔を開けて複数、配置してもよいし、細長いリボン状の金属ピースを前記深さ方向に伸びるように配置してもよい。
【００６０】
この他、容器に収容される液体に固形分が含まれることや、容器に撹拌設備が設けられていることも各々必須ではない。例えば、液体中に固形分が含まれていなくても、その液体が撹拌されることによって、液体の深さ方向で減肉量の分布が異なる場合もある。また、容器に撹拌設備が設けられていないとしても、容器内への液体の受け入れと払い出しを繰り返すうちに、同様の現象が発生することもある。
【００６１】
また、モニタリング管２内に挿入される肉厚測定装置が肉厚の測定を行う方式も超音波を利用する方式に限定されるものではない。
【符号の説明】
【００６２】
１、１ａ、１ｂ
貯蔵タンク
１３        溶接線
２          モニタリング管
２０２      模擬溶接線
２０３      封止部
２１        ガイド管
２２        ガイド管
２３        ガイド板
２４        ガイドレール
３１        バブリング管
４          隔壁
５１、５１ａ
プローブ
６          放射性廃液
６１        固形分
７          反応槽
【図１】
2015017946.tif 000003
【図２】
2015017946.tif 000004
【図３】
2015017946.tif 000005
【図４】
2015017946.tif 000006
【図５】
2015017946.tif 000007
【図６】
2015017946.tif 000008
【図７】
2015017946.tif 000009
【図８】
2015017946.tif 000010